(57)【特許請求の範囲】
【請求項１】
閉じた状態の扉と扉枠との間に生じる隙間を覆う被せ部を有する扉に適用される補助錠装置において、
前記扉枠の一部を挟み込むための挟込部を有するとともに、前記隙間に位置する部位が板状に構成された本体金具と、
前記本体金具のうち前記隙間に位置する部位（以下、連結部という。）にて当該本体金具にスライド可能に連結されたスライド金具であって、当該隙間に位置する部位（以下、被連結部という。）が板状に構成され、かつ、先端側に錠前が装着可能な錠装着部が設けられたスライド金具と、
前記被連結部の板面に設けられた突起部であって、当該板面から板厚方向に突出した突起部と、
前記連結部の板面のうち前記突起部と同一側の面に固定された板状のストッパであって、前記スライド金具が前記先端側に向けてスライドしたときに前記突起部と接触して当該スライド金具のスライドを規制するためのストッパとを備え、
前記スライド金具のスライド方向及び前記板厚方向と直交する方向を並び方向としたとき、
前記連結部と前記被連結部とは、それぞれの板厚方向が平行となる状態で、前記並び方向に並んで配置されている被せ扉用補助錠装置。
【請求項２】
前記連結部は、前記被連結部に対して前記並び方向一方側に位置する第１連結部、及び前記被連結部に対して前記並び方向他方側に位置する第２連結部を有して構成されており、
さらに、前記ストッパは、前記並び方向に延びているとともに、一方側が前記第１連結部に固定され、他方側が前記第２連結部に固定され、かつ、前記被連結部は、前記第１連結部と前記第２連結部との間に位置している請求項１に記載の被せ扉用補助錠装置。
【請求項３】
前記被連結部の板面のうち前記突起部と同一側の面に設けられ、前記第１連結部まで延びて当該第１連結部の板面にスライド可能に接触している板状の第１抜止片と、
前記被連結部の板面のうち前記突起部と同一側の面に設けられ、前記第２連結部まで延びて当該第２連結部の板面にスライド可能に接触している板状の第２抜止片と
を備える請求項２に記載の被せ扉用補助錠装置。
【発明の詳細な説明】
【技術分野】
【０００１】
本開示は、閉じた状態の扉と扉枠との間に生じる隙間を覆う被せ部を有する扉に適用される補助錠装置に関する。
【背景技術】
【０００２】
いわゆる「被せ式の扉（以下、被せ扉という。）」に用いられる補助錠装置として、例えば、特許文献１が知られている。
【先行技術文献】
【特許文献】
【０００３】
【特許文献１】特許第４９０２２６２号公報
【発明の概要】
【発明が解決しようとする課題】
【０００４】
被せ扉用補助錠装置の本体金具のうち上記隙間に位置する部分の長さは、被せ扉及び扉枠の寸法に合わせた寸法と成らざるを得ない。しかし、被せ扉及び扉枠の種類に応じた種類の本体金具を予め準備することは、被せ扉用補助錠装置の製造原価上昇を招く一因となる。
【０００５】
本開示は、上記点に鑑み、様々な被せ扉及び扉枠の組み合わせに対応可能な被せ扉用補助錠装置の一例を開示する。
【課題を解決するための手段】
【０００６】
閉じた状態の扉（１）と扉枠（３）との間に生じる隙間（４）を覆う被せ部（２）を有する扉（１）に適用される補助錠装置は、例えば、以下の構成要件のうち少なくとも１つを備えることが望ましい。
【０００７】
すなわち、当該構成要件は、扉枠（３）の一部を挟み込むための挟込部（１１Ｄ）を有するとともに、隙間（４）に位置する部位が板状に構成された本体金具（１１）と、本体金具（１１）のうち隙間（４）に位置する部位（以下、連結部（１１Ａ）という。）にて当該本体金具（１１）にスライド可能に連結されたスライド金具（１２）であって、当該隙間（４）に位置する部位（以下、被連結部（１２Ａ）という。）が板状に構成され、かつ、先端側に錠前が装着可能な錠装着部（１２Ｂ）が設けられたスライド金具（１２）と、被連結部（１２Ａ）の板面（１２Ｃ）に設けられた突起部（１２Ｄ）であって、当該板面（１２Ｃ）から板厚方向（Ｄ２）に突出した突起部（１２Ｄ）と、連結部（１１Ａ）の板面（１１Ｋ、１１Ｌ）のうち突起部（１２Ｄ）と同一側の面に固定された板状のストッパ（１３Ａ）であって、スライド金具（１２）が先端側に向けてスライドしたときに突起部（１２Ｄ）と接触して当該スライド金具（１２）のスライドを規制するためのストッパ（１３Ａ）とを備え、スライド金具（１２）のスライド方向（Ｄ１）及び板厚方向（Ｄ２）と直交する方向を並び方向（Ｄ３）としたとき、連結部（１１Ａ）と被連結部（１２Ａ）とは、それぞれの板厚方向（Ｄ２）が平行となる状態で、並び方向（Ｄ３）に並んで配置されていることである。
【０００８】
これにより、スライド金具（１２）が本体金具（１１）に対してスライド可能であるので、様々な被せ扉及び扉枠の組み合わせに対応可能となる。
【０００９】
因みに、上記各括弧内の符号は、後述する実施形態に記載の具体的構成等との対応関係を示す一例であり、本開示は上記括弧内の符号に示された具体的構成等に限定されない。
【図面の簡単な説明】
【００１０】
【図１】第１実施形態に係る被せ扉用補助錠装置の使用状態を示す図である。
【図２】第１実施形態に係る被せ扉用補助錠装置の正面図である。
【図３】図２の右側面図である。
【図４】図２の左側面図である。
【図５】図２の上面図である。
【図６】図２の下面図である。
【図７】図２の背面図である。
【図８】第１実施形態に係る被せ扉用補助錠装置を示す図である。
【図９】第１実施形態に係る被せ扉用補助錠装置の分解図である。
【図１０】第１実施形態に係るスライド金具を示す図である。
【図１１】第１実施形態に係る被せ扉用補助錠装置の連結箇所を示す図である。
【図１２】第１実施形態に係る被せ扉用補助錠装置の連結箇所を示す図である。
【図１３】第２実施形態に係る被せ扉用補助錠装置の連結箇所を示す図である。
【発明を実施するための形態】
【００１１】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されない。
【００１２】
なお、各図に付された方向を示す矢印等は、各図相互の関係及び各部材又は部位の形状を理解し易くするために記載されたものである。したがって、本開示に示された発明は、各図に付された方向に限定されない。
【００１３】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本開示に示された補助錠装置は、少なくとも符号が付されて説明された部材又は部位等の構成要素、並びに図示された構造部位を備える。
【００１４】
（第１実施形態）
＜１．被せ扉用補助錠装置の概要＞
本実施形態は、図１に示されるように、玄関ドア等の被せ部２が室外に面した扉１に本開示に係る被せ扉用補助錠装置１０の一例が適用されたものである。被せ部２は、扉１の一部であって、閉じた状態の扉１と扉枠３との間に生じる隙間４（以下、合わせ隙間４という。）を覆う部分である
扉１は、図１の紙面右側に蝶番（図示せず。）が設けられた「室外側に開くドア」である。扉枠３は、扉１の外縁を囲むフレームである。当該扉枠３は、建物に対して固定され、当該建物の一部を構成する。
【００１５】
そして、被せ扉用補助錠装置１０は、南京錠やダイヤル錠等の錠前５と協働して扉１が開くことを規制する。図１は、錠カバー６と共に錠前５が被せ扉用補助錠装置１０に装着された例である。因みに、利用者は、錠前５のみを装着して当該被せ扉用補助錠装置１０を利用することも可能である。
【００１６】
錠カバー６は、錠装着部１２Ｂを覆う部材である。なお、本実施形態に係る錠カバー６には、永久磁石（図示せず。）が埋設されている。このため、利用者は、例えば、当該錠カバー６を金属製の扉等に仮置きすることが可能である。
【００１７】
＜２．被せ用補助錠装置の構成＞
被せ扉用補助錠装置１０は、図８に示されように、本体金具１１、スライド金具１２及び保持板１３等を少なくとも備える。
【００１８】
＜本体金具＞
本体金具１１は、図９に示されるように、上記合わせ隙間４に位置する部位（以下、連結部１１Ａという。）が板状に構成されているとともに、挟込部１１Ｄを有する金属板製の部材である。
【００１９】
挟込部１１Ｄは、図１に示されるように、扉枠３の一部を挟み込むための部位である。具体的には、挟込部１１Ｄは、固定挟持板１１Ｅ及び可動挟持板１１Ｆ等を有して構成されている。
【００２０】
固定挟持板１１Ｅは、挟込部１１Ｄと連結部１１Ａとを繋ぐ板状の部位であって、連結部１１Ａに対して略直交する不動の板部である。可動挟持板１１Ｆは、固定挟持板１１Ｅに対して近接又は離間することが可能な可動部である。
【００２１】
可動挟持板１１Ｆには、挟込部１１Ｄに回転可能に支持された雄ネジ１１Ｇ（図７参照）に噛み合う雌ねじ穴（図示せず。）が設けられている。このため、利用者が摘み部１１Ｈを回転させると、これに連動して雄ネジ１１Ｇが回転するため、可動挟持板１１Ｆが変位する。
【００２２】
本実施形態に係る連結部１１Ａは、図９に示されるように、第１連結部１１Ｂ及び第２連結部１１Ｃ等を有して構成されている。第１連結部１１Ｂと第２連結部１１Ｃとは、並び方向Ｄ３において隙間１１Ｊを挟んで離間している。
【００２３】
並び方向Ｄ３とは、スライド金具１２のスライド方向Ｄ１及び板厚方向Ｄ２と直交する方向をいう。具体的には、例えば、図７の紙面上下方向がスライド方向Ｄ１であり、当該紙面と直交する方向が板厚方向Ｄ２であり、当該紙面左右方向が並び方向Ｄ３である。
【００２４】
＜スライド金具＞
スライド金具１２は、図１０に示されるように、連結部１１Ａにて本体金具１１にスライド可能に連結された金属板製の部材である。当該スライド金具１２は、合わせ隙間４に位置する部位（以下、被連結部１２Ａという。）が板状に構成され、かつ、先端側に錠前５が装着可能な錠装着部１２Ｂを有する。
【００２５】
錠装着部１２Ｂは、例えば、南京錠やダイヤル錠等の掛け金を挿入可能な貫通穴にて構成されている。なお、錠装着部１２Ｂが設けられた部位は、スライド金具１２を構成する板材が折り曲げられて重なっている。このため、錠装着部１２Ｂは、他の部位に比べて板厚が２倍となっている。
【００２６】
そして、被連結部１２Ａと連結部１１Ａとは、図１１に示されるように、それぞれの板厚方向Ｄ２が平行となる状態で、並び方向Ｄ３に並んで配置されている。具体的には、被連結部１２Ａに対して並び方向一方側に第１連結部１１Ｂが位置し、被連結部１２Ａに対して並び方向他方側に第２連結部１１Ｃが位置する。
【００２７】
被連結部１２Ａの板面１２Ｃには、突起部１２Ｄ、第１抜止片１２Ｅ及び第２抜止片１２Ｆが設けられている。突起部１２Ｄは、板面１２Ｃから板厚方向Ｄ２に突出した部位である。
【００２８】
本実施形態に係る突起部１２Ｄは、被連結部１２Ａにコイニング加工等のプレス加工が施されて被連結部１２Ａに一体成形された凸部である。なお、突起部１２Ｄのうちストッパ１３Ａ（図９参照）に接触する部位１２Ｇには、板面１２Ｃと略直交する面が設けられている。突起部１２Ｄのうち部位１２Ｇと反対側には、板面１２Ｃに対して傾斜した傾斜部１２Ｈが設けられている。
【００２９】
第１抜止片１２Ｅは、図１１に示されるように、被連結部１２Ａの板面１２Ｃのうち突起部１２Ｄと同一側の面に設けられているとともに、第１連結部１１Ｂまで延びて当該第１連結部１１Ｂの板面にスライド可能に接触している。
【００３０】
第２抜止片１２Ｆは、被連結部１２Ａの板面１２Ｃのうち突起部１２Ｄと同一側の面に設けられているとともに、第２連結部１１Ｃまで延びて当該第２連結部１１Ｃの板面にスライド可能に接触している。
【００３１】
つまり、第１抜止片１２Ｅ及び第２抜止片１２Ｆは、被連結部１２Ａが連結部１１Ａに対して、板厚方向Ｄ２一方の向き（図１の紙面左側）にずれること規制する。なお、第１抜止片１２Ｅ及び第２抜止片１２Ｆは、プレス加工等にて被連結部１２Ａと共に一体成形された部位である。
【００３２】
＜保持板＞
保持板１３は、図９に示されるように、ストッパ１３Ａを構成する板状の部材である。ストッパ１３Ａは、連結部１１Ａの板面１１Ｋ、１１Ｌのうち突起部１２Ｄと同一側の面に固定された帯板状の部材である。
【００３３】
当該ストッパ１３Ａは、図１２に示されるように、スライド金具１２が先端側（紙面上側）に向けてスライドしたときに、突起部１２Ｄのみと接触して当該スライド金具１２のスライドを規制する。
【００３４】
なお、第１抜止片１２Ｅ及び第２抜止片１２Ｆは、被連結部１２Ａが連結部１１Ａに対して、板厚方向Ｄ２一方の向き（図１の紙面左側）にずれること規制する部位である。このため、第１抜止片１２Ｅ及び第２抜止片１２Ｆとストッパ１３Ａとは接触しない。
【００３５】
ストッパ１３Ａは、並び方向Ｄ３に延びているとともに、一方側が第１連結部１１Ｂに固定され、他方側が第２連結部１１Ｃに固定されている。このため、ストッパ１３Ａは、被連結部１２Ａが連結部１１Ａに対して、板厚方向Ｄ２他方の向き（図１の紙面右側）にずれること規制する規制部としても機能する。
【００３６】
なお、保持板１３は、図１２の「○」で示される部分にて連結部１１Ａにカシメ固定されている。具体的には、保持板１３又は連結部１１Ａのうち図１２の「○」で示される部分にバーリング加工が施された後、当該バーリング加工により形成された筒部（図示せず。）を拡管するような塑性加工が施されて保持板１３が連結部１１Ａに固定される。
【００３７】
＜３．被せ用補助錠装置の使用方法及びその特徴（図１参照）＞
被せ用補助錠装置１０を利用する利用者は、先ず、図１示される寸法Ｗｏに合致するように、スライド金具１２をスライド変位させる。次に、利用者は、扉１を開いた状態で、扉枠３に挟込部１１Ｄにて嵌め込んだ後、摘み部１１Ｈを回転させて本体金具１１を扉枠３に固定する。
【００３８】
次に、利用者は、扉１を閉めた状態で、錠カバー６をスライド金具１２の先端側に装着した後、錠装着部１２Ｂに錠前５の掛け金を挿入して当該錠前５をロックする。これにより、錠カバー６がスライド金具１２に連結され、かつ、錠カバー６が扉１に干渉するため、扉１が開くことが規制される。
【００３９】
つまり、本実施形態に係る被せ扉用補助錠装置１０では、スライド金具１２が本体金具１１に対してスライド可能であるので、様々な被せ扉及び扉枠の組み合わせに対応可能となる。
【００４０】
（第２実施形態）
上述の実施形態に係る保持板１３は、第１抜止片１２Ｅ及び第２抜止片１２Ｆがスライド変位する領域に矩形状の貫通穴が設けられていた。しかし、本実施形態は、図１３に示されるように、ストッパ１３Ａと反対側が開放された略コの字状の保持板１３を用いたものである。
【００４１】
なお、上述の実施形態と同一の構成要件等は、上述の実施形態と同一の符号が付されている。このため、本実施形態では、重複する説明は省略されている。
【００４２】
（その他の実施形態）
上述の実施形態に係る第１抜止片１２Ｅ及び第２抜止片１２Ｆは、図２に示されるように、ストッパ１３Ａと反対側（図２では、第１抜止片１２Ｅ及び第２抜止片１２Ｆの下端側）が並び方向Ｄ３に対して傾斜した傾斜面にて構成されていた。しかし、本開示はこれに限定されない。
【００４３】
上述の実施形態に係る突起部１２Ｄは、被連結部１２Ａにコイニング加工等のプレス加工が施されて被連結部１２Ａに一体成形された凸部であった。しかし、本開示はこれに限定されない。すなわち、当該開示は、例えば、ピンが被連結部１２Ａに圧入されて構成された突起部１２Ｄであってもよい。
【００４４】
上述の実施形態に係る突起部１２Ｄのうちストッパ１３Ａと反対側には、板面１２Ｃに対して傾斜した傾斜部１２Ｈが設けられていた。しかし、本開示はこれに限定されない。すなわち、当該開示は、例えば、傾斜部１２Ｈが廃止された構成であってもよい。
【００４５】
上述の実施形態に係る連結部１１Ａは、第１連結部１１Ｂ及び第２連結部１１Ｃにより構成されていた。しかし、本開示はこれに限定されない。すなわち、当該開示は、例えば、第１連結部１１Ｂ及び第２連結部１１Ｃのうちいずれか一方の連結部のみにより連結部１１Ａが構成されていてもよい。
【００４６】
上述の実施形態では、連結部１１Ａと保持板１３とがカシメ加工にて機械的に固定されていた。しかし、本開示はこれに限定されない。すなわち、当該開示は、例えば、連結部１１Ａと保持板１３とがスポット溶接等の電気抵抗溶接にて固定された構成であってもよい。
【００４７】
上述の実施形態に係る錠カバー６は永久磁石が埋設されていた。しかし、本開示はこれに限定されない。すなわち、当該開示は、例えば、永久磁石が埋設されていない錠カバー、又は単純な板状の錠カバーを用いてもよい。
【００４８】
さらに、本開示は、上述の実施形態に記載された開示の趣旨に合致するものであればよく、上述の実施形態に限定されない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成であってもよい。
【符号の説明】
【００４９】
１０… 扉用補助錠装置  １１… 本体金具  １１Ａ… 連結部
１１Ｄ… 挟込部  １１Ｅ… 固定挟持板  １１Ｆ… 可動挟持板
１１Ｂ… 第１連結部  １１Ｃ… 第２連結部  １２Ｂ… 錠装着部
１２… スライド金具  １２Ａ… 被連結部  １２Ｄ… 突起部
１２Ｅ… 第１抜止片  １２Ｆ… 第２抜止片  １３Ａ… ストッパ
【要約】
【課題】  様々な被せ扉及び扉枠の組み合わせに対応可能な被せ扉用補助錠装置の一例を開示する。
【解決手段】  本体金具１１にスライド可能に連結されたスライド金具１２であって、被連結部１２Ａが板状に構成され、かつ、錠装着部１２Ｂが設けられたスライド金具１２と、被連結部１２Ａの板面に設けられた突起部１２Ｄであって、当該板面から板厚方向Ｄ２に突出した突起部１２Ｄと、連結部１１Ａの板面のうち突起部１２Ｄと同一側の面に固定された板状のストッパ１３Ａであって、スライド金具１２が紙面上側に向けてスライドしたときに突起部１２Ｄと接触して当該スライド金具１２のスライドを規制するためのストッパ１３Ａとを備え、連結部１１Ａと被連結部１２Ａとは、それぞれの板厚方向Ｄ２が平行となる状態で、並び方向Ｄ３に並んで配置されている。
【選択図】図８【図１】
0006915923.tif 000002
【図２】
0006915923.tif 000003
【図３】
0006915923.tif 000004
【図４】
0006915923.tif 000005
【図５】
0006915923.tif 000006
【図６】
0006915923.tif 000007
【図７】
0006915923.tif 000008
【図８】
0006915923.tif 000009
【図９】
0006915923.tif 000010
【図１０】
0006915923.tif 000011
【図１１】
0006915923.tif 000012
【図１２】
0006915923.tif 000013
【図１３】
0006915923.tif 000014